(57)【要約】【課題】高齢者等の見守り対象者が外出した際の専属要員である見守り要員の負担を軽減すること。【解決手段】見守り対象者１４が携帯する報酬ポイント発生装置１が、見守り対象者の現在位置を検出してＧＰＳ情報管理システム１０に送信し、ＧＰＳ情報管理システム１０が、見守り対象者１４が同一のスクウェアに滞在した滞在時間が所定時間以上と判定したとき、見守り要員１５が携帯する携帯端末装置のスマホアプリ６を用いて見守り対象者の滞在するスクウェアを通知する見守り要員誘導システム。【選択図】図１
2018088222.tif 000002
【特許請求の範囲】
【請求項１】
高齢者を含む見守り対象者及び該見守り対象者を見守る見守り要員が携帯し、インターネット通信機能及び近接通信機能並びに位置情報を検知するＧＰＳ機能を有する携帯端末装置と、
前記見守り対象者が携帯する携帯端末装置から発せられる見守り対象者位置情報をインターネット通信回線を介して受信する受信機能と、該受信機能により受信した見守り対象者位置情報に基づいて見守り対象者が同一の所定エリアに滞在した滞在時間が所定時間以上か否かを判定する判定機能と、該判定機能により判定した最大滞在時間を格納するスクウェア最大滞在時間データベースとを有するＧＰＳ情報管理システムとを含み、
前記見守り要員による見守り対象者の外出中の見守りを支援する見守り要員誘導システムであって、
前記見守り対象者が携帯する携帯端末装置が、見守り対象者の現在位置を検出して前記ＧＰＳ情報管理システムに送信する機能と、前記見守り要員が携帯する携帯端末装置が前記見守り対象者が携帯する携帯端末装置に接近したことを発信する近接通信機能とを備え、
前記見守り要員が携帯する携帯端末装置が、前記見守り対象者が携帯する携帯端末装置に接近したことを検知する近接通信機能と、該近接通信機能により見守り対象者が携帯する携帯端末装置に接近したとき、前記見守り要員が携帯する携帯端末装置に報酬ポイントを判定して付与する報酬ポイント判定機能とを備え、
前記ＧＰＳ情報管理システムが、前記判定機能により検知した見守り対象者が同一の所定エリアに滞在した滞在時間が所定時間以上と判定したとき、前記見守り要員が携帯する携帯端末装置に前記判定した見守り対象者の所定エリアを通知する見守り要員誘導システム。
【請求項２】
前記ＧＰＳ情報管理システムが、前記見守り要員が携帯する携帯端末装置に通知した見守り対象者の所定エリアに接近したとき、
前記見守り要員が携帯する携帯端末装置の近接通信機能が、前記見守り対象者が携帯する携帯端末装置の近接通信機能が連携して見守り要員の見守り対象者への接近を検知する請求項１に記載の見守り要員誘導システム。
【請求項３】
前記見守り要員が携帯する携帯端末装置の報酬ポイント判定機能が、前記近接通信機能により見守り要員の見守り対象者への接近を検知したとき、見守り要員が携帯する携帯端末装置に報酬ポイントを判定して付与する請求項２に記載の見守り要員誘導システム。
【請求項４】
高齢者を含む見守り対象者及び該見守り対象者を見守る見守り要員が携帯し、インターネット通信機能及び近接通信機能並びに位置情報を検知するＧＰＳ機能を有する携帯端末装置と、
前記見守り対象者が携帯する携帯端末装置から発せられる見守り対象者位置情報をインターネット通信回線を介して受信する受信機能と、該受信機能により受信した見守り対象者位置情報に基づいて見守り対象者が同一の所定エリアに滞在した滞在時間が所定時間以上か否かを判定する判定機能と、該判定機能により判定した最大滞在時間を格納するスクウェア最大滞在時間データベースとを有するＧＰＳ情報管理システムとを含み、
前記見守り対象者が携帯する携帯端末装置が、見守り対象者の現在位置を検出して前記ＧＰＳ情報管理システムに送信する機能と、前記見守り要員が携帯する携帯端末装置が前記見守り対象者が携帯する携帯端末装置に接近したことを発信する近接通信機能とを備え、
前記見守り要員が携帯する携帯端末装置が、前記見守り対象者が携帯する携帯端末装置に接近したことを検知する近接通信機能と、該近接通信機能により見守り対象者が携帯する携帯端末装置に接近したとき、前記見守り要員が携帯する携帯端末装置に報酬ポイントを判定して付与する報酬ポイント判定機能とを備え、
前記見守り要員による見守り対象者の外出中の見守りを支援するコンピュータシステムによる見守り要員誘導方法であって、
前記ＧＰＳ情報管理システムに、前記判定機能により検知した見守り対象者が同一の所定エリアに滞在した滞在時間が所定時間以上と判定したとき、前記見守り要員が携帯する携帯端末装置に前記判定した見守り対象者の所定エリアを通知させる見守り要員誘導方法。
【請求項５】
前記ＧＰＳ情報管理システムが、前記見守り要員が携帯する携帯端末装置に通知した見守り対象者の所定エリアに接近したとき、
前記見守り要員が携帯する携帯端末装置の近接通信機能に、前記見守り対象者が携帯する携帯端末装置の近接通信機能が連携して見守り要員の見守り対象者への接近を検知させる請求項４に記載の見守り要員誘導方法。
【請求項６】
前記見守り要員が携帯する携帯端末装置の報酬ポイント判定機能に、前記近接通信機能により見守り要員の見守り対象者への接近を検知したとき、見守り要員が携帯する携帯端末装置に報酬ポイントを判定して付与させる請求項５に記載の見守り要員誘導方法。
【発明の詳細な説明】
【技術分野】
【０００１】
本発明は、自治体が提供する見守りサービスの対象となる高齢者等が外出の際に発生した異常を検知し、見守り要員の誘導を支援することができる見守り要員誘導システム及び見守り要員誘導方法に関する。
【背景技術】
【０００２】
近年、高齢者の増加に伴って高齢者の異常を検知して適切な対応を支援する見守りサービスが提案されている。この見守りサービスとしては、例えば、係員の訪問や電話問合せによる見守りサービスや、自宅等における異常時の本人又はセンサによる通報や定期的行動の監視により異常が発生した際に係員が駆けつける見守りサービスが実施されている。
【０００３】
従来技術による見守りサービスに関する技術が記載された文献としては、下記の特許文献１及び２が挙げられる。
【０００４】
特許文献１には「居住者に上記通常状態スイッチを操作するように促す機能、及び上記コンピュータが感知した情報と居住者が上記通常状態スイッチを操作したときの操作情報とを、このコンピュータと通信可能でありこのコンピュータから送付された情報を閲覧させることができる見守り状況閲覧用サーバに送付する機能」という記載がある。
【０００５】
特許文献２には「被監視者側端末は、検知回路部による感知結果から、パターン認識判定部が所定の移動パターンを検出した場合に、メッセージ送信制御部は通信回路部を介して監視者側端末に、被監視者に異常がない旨のメッセージを送信する」という記載がある。
【先行技術文献】
【特許文献】
【０００６】
【特許文献１】特開２０１６−１６２０５８号公報
【特許文献２】特開２０１３−３６０６号公報
【発明の概要】
【発明が解決しようとする課題】
【０００７】
前述の特許文献１に記載された技術は、居住者に見守り器の操作を促すことにより低コストで高い見守りを行うことができる効果に留まり、特許文献２に記載された技術は、単身生活者および監視者に煩雑な操作を強いることなく容易に安否確認を行うことができることができる効果に留まる。
【０００８】
そこで、本発明では、見守り対象者が自宅等から外出した際の見守り要員の負担を軽減することができる見守り要員誘導システム及び見守り要員誘導方法を提供することを目的とする。
【課題を解決するための手段】
【０００９】
本発明による見守り要員誘導システム及び見守り要員誘導方法は、高齢者等の見守り対象者が外出したときに携帯する報酬ポイント発生装置が、見守り対象者の現在位置を検出してＧＰＳ情報管理システムに送信し、該ＧＰＳ情報管理システムが、見守り対象者が同一のスクウェアに滞在した滞在時間が所定時間以上と判定したとき、見守り要員の携帯する携帯端末装置のスマホアプリを用いて見守り対象者の滞在するスクウェアを通知する。
【発明の効果】
【００１０】
本発明による見守り要員誘導システム及び見守り要員誘導方法は、見守り対象者が自宅等から外出した際の異常を容易に検知し、見守り要員の負担を軽減することができる。
【図面の簡単な説明】
【００１１】
【図１】本発明の実施例による見守り要員誘導システムの基本的構成を示す図である。
【図２】本実施例によるＧＰＳ情報管理システムの処理フローを示す図である。
【図３】本実施例によるＧＰＳ情報連携の処理フローを示す図である。
【図４】本実施例によるチェックイン情報連携フローを示す図である。
【発明を実施するための形態】
【００１２】
以下、本発明による実施例を説明する。
【００１３】
[概要]
まず、本発明による見守り要員誘導システム及び見守り要員誘導方法の概要を説明する。
【００１４】
本発明による見守り要員誘導システムは、高齢者等の見守り対象者及び該見守り対象者を見守る役所職員・施設職員等の見守り要員がスマートフォン等の携帯端末装置を携帯し、これら携帯端末装置にはＷｉＦｉ他によるインターネット通信機能及びＢｌｕｅｔｏｏｔｈ（登録商標）通信機能並びに位置情報を検知するＧＰＳ機能を備え、両端末がＧＰＳ情報管理システムに接続され、両端末にインストールしたアプリケーションソフトウェア（アプリソフト）を用いる。
【００１５】
見守り対象者用の携帯端末装置にインストールするアプリソフトは、前記端末装置の各機能を用い、見守り対象者の現在位置を検出して外部に送信する機能と、見守り要員との携帯端末間で近接距離通信であるＢｌｕｅｔｏｏｔｈ（登録商標）通信がされた際の時刻管理する機能を設ける。
【００１６】
見守り要員用の携帯端末装置にインストールする見守りサービス用アプリソフトは、前記端末装置の各機能を用い、見守り対象者との携帯端末間でＢｌｕｅｔｏｏｔｈ（登録商標）通信がされたこと（チェックイン）を検知する機能と、チェックインしたことによる報酬ポイントを判定する機能と、この報酬ポイントを管理する機能とを設ける。
【００１７】
本発明による見守り要員誘導システムは、高齢者等の見守り対象者が外出中に所定時刻以上同一場所に滞在した場合、滞在場所を見守り要員に通知し、見守り要員が対象者に接近したことをＢｌｕｅｔｏｏｔｈ（登録商標）通信の近接距離通信機能を利用して検知し、異常が発生しているか否かを見守り要員に判定させ、異常発生時にはエマージェンシーコール（緊急連絡）を発すると共に見守り要員に報酬ポイントを付与させる。このように本発明は、見守り要員のゲーム感覚を利用して高齢者等の効率的な見守りを行うものである。
【００１８】
この見守り要員は、事前登録制として身元確認等の審査をクリアしていることを前提とし、見守り要員に対して異常発生時にスマホアプリへ当該見守り対象者が居る位置情報と緊急度を示す報酬ポイントを表示することにより見守り要員へ現場への急行を促す。報酬ポイントの算出方法は、最終チェックイン時刻とボーナスポイントで決定し、ボーナスポイントは分析単位（以下、スクウェアと呼ぶ）での滞在時間を元に算出する。また、見守り要員は、役所職員等に限らず、親族・ボランティア・一般のスマートフォン使用者であっても良い。
【００１９】
本発明による見守り要員誘導システムは、前述のように異常発生時に現場へ急行するための要員を個人に特定しないために自治体の負担を軽減し、急行までの時間を短縮することができる。また、本発明によれば、異常時の分析ロジックを単純化することにより開発コストを低減し、さらに誤報により「報酬ポイントを獲得しやすい」ポイントとして認知されるため、人が集まり易くなり見守り対象者の安全性向上の一助とすることもでき、以下、詳細を説明する。
【００２０】
［構成］
本実施例による見守り要員誘導方法を実行する見守り要員誘導システムは、図１に示す如く、次の構成要素により構成される。
【００２１】
（１）報酬ポイント発生装置１：
この報酬ポイント発生装置１は、見守り対象者１４が外出時に携帯する携帯端末装置及び該携帯端末装置にインストールされるアプリにより構成される。本報酬ポイント発生装置１は、見守り対象者１４の位置情報を発信する機能と、見守り対象者１４にスマホアプリ６の見守り要員１５が駆けつけた場合、見守り要員１５に報酬ポイントを付与する機能を備える。当該報酬ポイント発生装置１は、見守り対象者１４の位置情報であるＧＰＳ情報を発信するＧＰＳ情報発信部２と、見守り対象者１４に接近した見守り要員１５に対してＢｌｕｅｔｏｏｔｈ（登録商標）によるビーコンフレームを発信する近接発信機能である近接通信チェックイン発信部３と、このチェックイン時刻を管理する時刻管理部４と、最終チェックイン時刻を格納する最終チェックイン時刻データベース（ＤＢ）５とを有する。なお、本例におけるチェックインとは、見守り対象者１４に対して見守り要員１５が接近し、見守り要員１５が見守り対象者１４の在するエリア（スクエアと呼ぶ）にチェックインしたことを意味する。
【００２２】
前記報酬ポイント発生装置１の時刻管理部４は、日時刻を管理し、近接通信チェックイン発信部３によりチェックイン処理が実行された度に最終チェックイン時刻を保存する。近接通信チェックイン発信部３は常にＢｌｕｅｔｏｏｔｈ（登録商標）によるビーコンフレームを発信し、スマホアプリ６によるチェックインを待機する。
【００２３】
（２）ＧＰＳ情報管理システム１０：
このＧＰＳ情報管理システム１０は、報酬ポイント発生装置１のＧＰＳ情報発信部２から発信されたＧＰＳ情報を無線インターネット等の通信回線９９を介して受信するＧＰＳ情報受信部１１と、見守り対象者１４が滞在したスクウェアでの最大滞在時間を格納するスクウェア最大滞在時間データベース（ＤＢ）１３と、スマホアプリ６の報酬ポイント判定部８と、見守り対象者１４の位置情報を分析するＧＰＳ情報分析部１２とを備える。このＧＰＳ情報管理システム１０は、見守り対象者１４のスクウェアにおける最大滞在時間を格納するスクウェア最大滞在時間ＤＢ１３と接続され、スクウェアとは、見守り対象者１４が滞在した分析単位の領域である。
【００２４】
すなわち、ＧＰＳ情報管理システム１０は、報酬ポイント発生装置１のＧＰＳ情報発信部２とＧＰＳ情報受信部１１とを連携させ、見守り対象者１４の現在位置の情報を取得する。ＧＰＳ情報分析部１２は、スクウェアと呼ばれる分析単位毎に見守り対象者１４のスクエア（所定範囲の位置）滞在時間の最大値（スクエア滞在時間ＭＡＸ）を管理すると共に、後述する図２のフローチャートに従い、異常の有無をスマホアプリ６と連携する。
【００２５】
（３）スマホアプリ６：
このスマホアプリ６は、スマホアプリの見守り要員１５が自己の携帯端末であってＢｌｕｅｔｏｏｔｈ（登録商標）送受信機能及びインターネット通信機能を有するスマートフォンにインストールされ、見守り要員１５が見守り対象者１４へ接近したことをＢｌｕｅｔｏｏｔｈ（登録商標）送受信機能により検知し、接近及びエマージェンシーコール（緊急連絡）判定によるポイントを管理するものである。このスマホアプリ６は、見守り要員１５が高齢者等の見守り対象者１４に接近したことをＢｌｕｅｔｏｏｔｈ（登録商標）のビーコンフレームを受信する近接通信チェックイン受信部７と、前記ＧＰＳ情報管理システム１０のＧＰＳ情報分析部１２と接続され、見守り要員１５の報酬ポイントを判定する報酬ポイント機能に相当する報酬ポイント判定部８と、該報酬ポイント判定部８が判定した報酬ポイントを管理するポイント管理部９とを備える。
【００２６】
前記スマホアプリ６に実装されたポイント管理部９は、ＧＰＳ情報管理システム１０より受信した情報に基づいて見守り対象者１４の現在位置と異常の有無をアイコンで表示すると共に現在保持している累計ポイントを管理する。近接通信チェックイン受信部７は、近接通信チェックイン発信部３よりビーコンフレームを受信した場合、後述するチェックイン情報連携処理（図４）を実行すると共にＢｌｕｅｔｏｏｔｈ（登録商標）で最終チェックイン時刻を取得し、最終チェックインＤＢ５に格納する。また、見守り対象者１４の外出時の異常の有無については、後述するＧＰＳ情報連携処理（図３）によって判断する。
【００２７】
［動作］
［ＧＰＳ情報管理システム１０の動作］
まず、本実施例による見守り要員誘導システムは、見守り対象者１４が外出した際に図２に示す次の各ステップによる処理フローをＧＰＳ情報管理システム１０が実行することによって、見守り対象者１４の現在位置を取得し、見守り対象者１４の任意のスクウェアにおける最大滞在時間をスクウェア最大滞在時間ＤＢ１３に格納するように動作する。
【００２８】
ステップＳ２０１：
ＧＰＳ情報管理システム１０が、見守り対象者１４の外出をＧＰＳ位置情報が自宅又は介護施設等の位置情報から変化することにより検知し、次の各処理を開始するステップ。
【００２９】
ステップＳ２０２：
ＧＰＳ情報管理システム１０のＧＰＳ情報受信部１１が、見守り対象者１４のＧＰＳ位置情報（見守り対象者位置情報）の取得をスマホアプリ６と連携するステップ。
【００３０】
ステップＳ２０３：
ＧＰＳ情報分析部１２が、前記ステップＳ２０２により開始した見守り対象者１４の位置情報に基づいて特定のスクウェアの滞在時間が３０分を超えたか否かを判定する（判定機能）ステップ。
【００３１】
ステップＳ２０９：
該ステップＳ２０３において特定のスクウェアの滞在時間が３０分を超えたと判定したとき、少なくとも一人の見守り要員１５のスマホアプリ６へエマージェンシーコール（緊急連絡）を発するステップ。このエマージェンシーコールが通知される見守り要員１５は、見守り対象者１４に近接した所定範囲の領域に在する者を選択するようにしても良い。
【００３２】
ステップＳ２１０：
該ステップＳ２０９による見守り要員１５へのエマージェンシーコール（緊急連絡）を発した後、１分間待機するステップ。この待機は、見守り要員１５の移動等の時間により設定されても良い。
【００３３】
ステップＳ２０４：
前記ステップＳ２０３において特定のスクウェアの滞在時間が３０分を超えていないと判定したとき、特定のスクウェアの滞在時間が１０分〜３０分未満且つ所定の最大時間（ＭＡＸ）未満か否かを判定し、特定のスクウェアの滞在時間が１０分〜３０分以上且つ所定の最大時間（ＭＡＸ）未満と判定したとき、前記ステップＳ２０９に移行するステップ。
【００３４】
ステップＳ２０５：
該ステップＳ２０４において特定のスクウェアの滞在時間が１０分〜３０分以上且つ所定の最大時間（ＭＡＸ）未満でないと判定したとき、又はステップＳ２１０に続き、５分間待機するステップ。この待機は、見守り要員１５の移動等の時間により設定されても良い。
【００３５】
ステップＳ２０６：
前記ステップＳ２１０又はステップＳ２０５に続き、ＧＰＳ情報管理システム１０のＧＰＳ情報受信部１１が、見守り対象者１４のＧＰＳ位置情報の取得をスマホアプリ６と連携するステップ。
【００３６】
ステップＳ２０７：
前記ステップＳ２０６により取得した見守り対象者１４のＧＰＳ位置情報に基づいて前記特定のスクウェアから移動したか否かを判定し、移動していないと判定したとき、前記ステップＳ２０３に戻るステップ。
【００３７】
ステップＳ４０８：
前記ステップＳ２０７において見守り対象者１４のＧＰＳ位置情報に基づいて前記特定のスクウェアから移動したと判定したとき、前記ステップＳ２０４における所定の最大時間（ＭＡＸ）を更新するステップ。
【００３８】
ステップＳ２１１：
前記ステップＳ２０１により開始した前記ステップＳ２０３〜ステップＳ４０８迄の処理を終了するステップ。
【００３９】
このように本実施例による見守り要員誘導システムは、前述のステップを実行することによって、見守り対象者１４の現在位置を取得し、見守り対象者１４の任意のスクウェアにおける最大滞在時間をスクウェア最大滞在時間ＤＢ１３格納すると共に、見守り対象者１４が所定時間以上特定のスクウェアに滞在したとき、スマホアプリ６へ見守り対象者１４の位置（スクウェア）情報を発するように動作する。
【００４０】
［スマホアプリ６の動作１］
次に、前記ステップＳ２０２及び２０６による見守り対象者１４のＧＰＳ位置情報の取得をスマホアプリ６と連携する処理を図３を参照して説明する。
【００４１】
ステップＳ３０１：
スマホアプリ６が、ＧＰＳ情報管理システム１０に対して見守り対象者１４のＧＰＳ位置情報の連携処理を開始するステップ。
【００４２】
ステップＳ３０２：
見守り要員１５が見守り対象者１４の所在地（指定されたスクウェア）に移動し、見守り対象者１４に異常が発生しているエマージェンシーコール、即ち、緊急事態か否かをスマホアプリ６への入力がされているか否かをスマホアプリ６が識別することによりエマージェンシーコールが発生しているか否かを判定するステップ。
【００４３】
ステップＳ３０３：
スマホアプリ６が、前記ステップＳ３０２においてエマージェンシーコールが発生していないと判定したとき、見守り要員１５が所有する携帯端末の表示部に見守りサービス用スマホアプリの通常アイコンを表示して処理を終了するステップ。
【００４４】
ステップＳ３０４：
スマホアプリ６が前記ステップＳ３０２においてエマージェンシーコールが発生していると判定したとき、見守り要員１５が所有する携帯端末の表示部に見守りサービス用スマホアプリのエマージェンシーコール（緊急連絡）アイコンを表示するステップ。本実施例においては、エマージェンシーコール（緊急連絡）が発せられたことをＧＰＳ情報管理システム１０が検知したとき、救急機関等に緊急事態を連絡するように構成しても良い。
【００４５】
ステップＳ３０５：
前記ステップＳ３０４に続き、スマホアプリ６がエマージェンシーコールと判定したことの対価としてボーナスポイントを設定して処理を終了するステップ。
【００４６】
本実施例による見守り要員誘導システムは、ＧＰＳ情報分析部１２が見守り対象者１４が外出中に特定のスクウェア（領域）に所定時間以上滞在していると判定したとき、見守り要員１５へ特定スクウェアへの移動を促して緊急事態が発生しているか判断させ、スマホアプリ６を用いて緊急事態発生時にエマージェンシーコールを行うと共に、エマージェンシーコールが発生していない際には特定のスクウェアへの滞在最大時間を更新することにより、例えば見守り対象者１４が医療施設等での見守り要員１５への通知を抑制する。これにより、無駄な見守り要員への見守り行動が多発することを防止する。
【００４７】
［スマホアプリ６の動作２］
次に、本実施例による報酬ポイント発生装置１による見守り対象者１４に見守り要員１５が接近してチェックインするスマホアプリ６によるチェックイン情報の連携処理を図４を参照して説明する。
【００４８】
本実施例によるスマホアプリ６は、次の各ステップを実行することによってチェックイン情報の連携処理を行う。
【００４９】
ステップＳ４０１：
スマホアプリ６は、見守り対象者１４に見守り要員１５が接近し、報酬ポイント発生装置１の近接通信チェックイン発信部３が発したビーコンフレームを近接通信チェックイン受信部７の受信により、チェックイン情報の連携処理を開始する（近接検知機能）ステップ。このときスマホアプリ６は、報酬ポイント発生装置１の時刻管理部４から当該対象者に対する最終チェックイン時刻も受信する。
【００５０】
ステップＳ４０２：
見守り要員１５の操作により前記ステップＳ４０１によるチェックインの入力（即ち、見守り要員１５が接近し見守り対象者１４に接近したか否かの入力）に基づき、チェックインが成されたか否かを判定し、チェックインしていない（例えば、見守り対象者１４を発見できないとき等）と判定したときに処理を終了するステップ。
【００５１】
ステップＳ４０３：
前記ステップＳ４０２においてチェックインしていると判定したとき、「最終チェックイン時刻」及び「ボーナス設定情報」に基づいて報酬ポイントを算出するステップ。
【００５２】
ステップＳ４０４：
該ステップＳ４０３において算出した報酬ポイントを獲得するステップ。
【００５３】
このように本実施例によるスマホアプリ６は、前述の各ステップを実行することによって、見守り要員１５が見守り対象者１４を発見（チェックイン）したか否かを判定し、チェックインしていると判定したときに報酬ポイントを獲得するように動作する。
【００５４】
本実施例による見守り要員誘導システム及び見守り要員誘導方法は、見守り対象者が自宅等から外出し、一定の場所に所定時間以上滞在していることを検知して見守りの見守り要員１５に居場所と共に通知することによって、高齢者等の見守り対象者の異常を容易に検知することができる。
【符号の説明】
【００５５】
１  報酬ポイント発生装置、２  ＧＰＳ情報発信部、
３  近接通信チェックイン発信部、４  時刻管理部、
５  最終チェックイン時刻データベース、６  スマホアプリ、
７  近接通信チェックイン受信部、
８  報酬ポイント判定部、９  ポイント管理部、１０  ＧＰＳ情報管理システム、
１１  ＧＰＳ情報受信部、１２  ＧＰＳ情報分析部、
１３  スクウェア最大滞在時間データベース、１４  見守り対象者、
１５  見守り要員、９９  通信回線
【図１】
2018088222.tif 000003
【図２】
2018088222.tif 000004
【図３】
2018088222.tif 000005
【図４】
2018088222.tif 000006